(57)【要約】本発明は、キャプショニング、言語翻訳及び補聴援助の目的で、ショー又はアトラクションに関連するメディア情報を提供するために、メディアストリームを携帯装置に無線提供することにある。人が会場で動き回ると、携帯装置は会場の各位置で送信機から赤外線又は無線信号を受ける。携帯装置は、この携帯装置に提供するために、会場位置、事象時間又は装置のトリガに関し各信号を復号する。携帯装置のメモリには、オーディオ、テキスト、図表等の内容を含み、携帯装置の再生には、これらの記憶された内容の１つ以上が含まれる。記憶された内容は、ユーザの位置、移動時間、日時、ショー時間又はショー中の事象と同期しており、且つ１つ以上の言語にしうる。記憶された情報を携帯装置に提供するのは、ユーザのプリフェレンス、記憶された論理制約、ユーザの行為行動の自動的な学習又は他の装置とのユーザの双方向通信によって変えることができる。
2006507723.tif 000002
【特許請求の範囲】
【請求項１】
メディアプレゼンテーションと関連する読み取り可能なディスプレイ上に内容データを表示する方法であって、この方法が、
時間プロンプトを含むメディアプレゼンテーションデータを表示する工程と、
これら時間プロンプトと相関関係にあるシーケンスを前記内容データが有するようにする工程と、
前記メディアプレゼンテーションデータ中の時間プロンプトを検出する工程と、
検出したこの時間プロンプトと関連する内容データのシーケンスを前記読み取り可能なディスプレイに送信する工程と
を有している方法。
【請求項２】
請求項１に記載の方法において、前記送信をＩＲ信号により行うようにする方法。
【請求項３】
請求項１に記載の方法において、前記送信をＲＦ信号により行うようにする方法。
【請求項４】
請求項１に記載の方法において、前記送信を有線接続により行うようにする方法。
【請求項５】
請求項１に記載の方法において、前記メディアプレゼンテーションデータを予め記憶しておくようにする方法。
【請求項６】
請求項１に記載の方法において、前記メディアプレゼンテーションデータをライブパーフォーマンスとする方法。
【請求項７】
請求項１に記載の方法において、この方法が更に、前記内容データをメモリ装置内に記憶する工程を有するようにする方法。
【請求項８】
請求項１に記載の方法において、前記時間プロンプトを光学的に読み取りうるようにする方法。
【請求項９】
少なくとも１つのユーザ装置に内容データを提供する方法であって、この方法が、
予め決定した時間に内容データを提供する工程と、
メディアに関する時間プロンプトを提供する工程と、
メディアに関する時間プロンプトを検出する工程と、
これら時間プロンプトと内容データとを相関付ける工程と、
所定の時間プロンプトにおいて、相関関係のある内容データをユーザ装置に送信する工程と
を有するようにする方法。
【請求項１０】
請求項９に記載の方法において、内容データが表示される読み取り可能なディスプレイをユーザ装置が有するようにする方法。
【請求項１１】
請求項９に記載の方法において、ユーザ装置がオーディオ出力を有し、内容データがスピーカ又はヘッドホンを介してユーザに提供されるようにする方法。
【請求項１２】
請求項９に記載の方法において、内容データをＩＲ信号によりユーザ装置に送信するようにする方法。
【請求項１３】
請求項９に記載の方法において、内容データをＲＦ信号によりユーザ装置に送信するようにする方法。
【請求項１４】
読み取り可能なディスプレイに内容データを表示する方法において、この方法が、
表示すべき内容データを、予め決定した時間に提供する工程と、
時間プロンプトを有するメディアプレゼンテーションデータを提供する工程と、
前記内容データを時間プロンプトと相関付ける工程と、
メディアプレゼンテーションデータ中の時間プロンプトを検出する工程と、
所定の時間プロンプトにおいて、相関関係のある内容データを読み取り可能なディスプレイに送信する工程と、
読み取り可能なディスプレイに内容データを表示する工程と
を有するようにする方法。
【請求項１５】
読み取り可能なディスプレイに情報を表示する方法であって、この方法が、
表示すべき情報を、予め決定した時間に記憶する工程と、
時間プロンプトを有するメディアデータを表示する工程と、
前記情報を時間プロンプトの少なくとも１つと相関付ける工程と、
所定の時間プロンプトにおいて、相関関係のある情報を読み取り可能なディスプレイに送信する工程と、
を有するようにする方法。
【請求項１６】
メディアプレゼンテーションデータと関連する双方向通信方法であって、この方法が、
読み取り可能なディスプレイを有する内容表示装置を得る工程と、
表示する内容データを記憶する工程と、
時間プロンプトを有するメディアプレゼンテーションデータを提供する工程と、
前記内容データが、時間プロンプトと相関付けられたシーケンスを有するようにする工程と、
メディアプレゼンテーションデータ中の時間プロンプトを検出する工程と、
検出した時間プロンプトと相関付けられた内容のデータのシーケンスを読み取り可能なディスプレイに送信する工程と、
視聴者から情報を受けるようにした内容表示装置に入力を与える工程と
を有するようにした双方向通信方法。
【請求項１７】
時間プロンプトを含むメディアプレゼンテーション中にデジタルデータを携帯装置に流す装置であって、この装置が、
送信に先立ってデジタルデータを記憶するメモリ装置と、
デジタルデータを送信する無線放出器と、
デジタルデータを受信する、前記携帯装置における無線受信機と、
時間プロンプト検出器と、
検出した時間プロンプトを、予め決定した規則に応じてデジタルデータと相関付けるデータプロセッサと、
時間プロンプトと相関付けられたデジタルデータを前記無線放出器から前記無線受信機に送信する送信機と
を具えている、デジタルデータを携帯装置に流す装置。
【請求項１８】
メディアプレゼンテーションと相関付けられた内容データを少なくとも１つのユーザ装置に提供する方法であって、
予め決定した時間に内容データを提供する工程と、
メディアに関する時間プロンプトを組み込む工程と、
映画を少なくとも一人のユーザに提供する工程と、
メディアに関する時間プロンプトを検出する工程と、
内容データを時間プロンプトと相関付ける工程と、
所定の時間プロンプトにおいて、相関関係のある内容データをユーザ装置に送信する工程と、
内容データをユーザ装置に表示する工程と
を具えるようにする方法。
【請求項１９】
時間プロンプトを含むメディアプレゼンテーションの前及びその間にデジタルデータを携帯装置に流す装置であって、
送信に先立ってデジタルデータを記憶するメモリ装置と、
デジタル同期データを送信する無線放出器と、
メディアプレゼンテーション内容を送信するディストリビューションデータサーバと、
携帯装置に流すデジタルデータを送信する無線送信機と、
複数のメディア内容を含むデジタルデータを送信する送信機と、
時間プロンプト検出器と、
デジタルデータを受信する、携帯装置における無線受信機と、
検出した時間プロンプトを、予め決定した規則に応じてデジタルデータと関連付けるデータプロセッサと
を具え、
前記無線放出器から前記無線受信機への送信デジタルデータを時間プロンプトと相関付けるようにした装置。
【請求項２０】
携帯装置の位置、この位置で経過する時間及び訪れた位置までの過程に基づいてユーザのプリフェレンスを自動的に決定する当該携帯装置であって、この携帯装置が、
遠隔送信機から、この遠隔送信機に相当する位置コードを受信する受信機と、
ある位置で且つ複数の位置間で経過する時間を決定するタイマと、
携帯装置のユーザが訪れる各位置に相当するコードを記憶するメモリと
を具えている携帯装置。
【請求項２１】
ユーザの目的位置を自動的に予測するとともに、この位置に関するメディア内容を提供する携帯装置であって、この携帯装置が、
ユーザのプリフェレンスを入力するインタフェースと、
遠隔送信機から、この遠隔送信機に相当する位置コードを受信する受信機と、
ある位置で且つ複数の位置間で経過する時間を決定するタイマと、
携帯装置のユーザが訪れる各位置に相当するコードを記憶するメモリと
を具えている携帯装置。
【発明の詳細な説明】
【技術分野】
【０００１】
本発明は、特に、多くの視聴者又は指定のブロードキャスト領域における携帯装置にデジタルデータを流すのに、赤外線及び無線周波数の双方又はいずれか一方を用いることに関するものである。
【背景技術】
【０００２】
人間の聞く能力に妨害を及ぼし、これにより聞き手に対する情報の提供（プレゼンテーション）を阻害するおそれのある状況が幾つかある。例えば、難聴の人は、会話、音響効果、音楽及びプレゼンテーションに関するその他の音のデータや、実演、映画、テレビジョン及び特別なイベントにおけるメッセージを聞き逃すおそれがある。プレゼンテーションに用いられている言語をしゃべれない人は、会話や、与えられるその他の関連のメッセージを聞き逃すおそれがある。言語の障壁は、多くの人々が種々の教養を得るのを阻害するとともに、言語の理解や、与えられる情報に対する参加又は双方向通信を阻害する。背景の環境雑音も人間の聞く能力に悪影響を及ぼし、これによりプレゼンテーションの効果を低減させるおそれがある。更に、これらのプレゼンテーションに、聞き手とプレゼンターとの間で双方向通信を行う方法が含まれる場合には、しばしばこれらのプレゼンテーションをより一層有効なものとすることができる。
【０００３】
博物館や、劇場や、外国語の翻訳又は難聴に対するキャプショニング（字幕処理）を提供するその他の聴衆席を含む多くの会場でキャプショニングシステムが用いられている。これらのシステムは、
１）全聴衆者が見ることのできる投射面又は大型の隣接表示面上の“オープンキャプショニング”、
２）透明であるが反射性のパネルを用いてリアプロジェクションからテキストを表示し、聴取者がこのパネルを通してディスプレイ又はパフォーマンスを見うるようにする反射性キャプショニング、又は
３）視聴者の前の席の背面における配線接続ディスプレイ
の何れかである。
【０００４】
無線ストリーミングシステムも存在する。これらのシステムは、補聴援助システムや無線ヘッドホンのような変調されたアナログ及びデジタルオーディオブロードキャスティングシステムより成っている。短距離（しばしば１メートル以下）のデジタルトランシーバが代表的に、コンピュータ間の、又はコンピュータと周辺機器との間のデータ交換のために用いられている。これらのシステムは複数のユニットを同期化しない。
【発明の開示】
【０００５】
本発明の目的は、会話、翻訳、双方向型のゲーム、制御信号命令又はその他のショーに関連するメッセージのようなランダムな又は同期化した又はその双方の情報を、ショー、映画館、展示ホール、公会堂又は指定された領域に目立たない装置を介して提供する方法を得ることにある。
【０００６】
本発明は、赤外線（ＩＲ）放射及び無線周波数（ＲＦ）送信の双方又はいずれか一方を用いて、クローズドキャプショニング、複数文化の言語群に対する言語翻訳、プレビュー、ゲーム、装置の制御及びこれらと同様な分野の何れか又はこれらの任意の組合せに対する携帯装置にデータをストリーミングするものである。携帯キャプショニング装置は、人が持ち運ぶようにするか、又は手を使わない固定配置にするか、又はその双方にすることができる。プレゼンテーションの開始前、又はこの開始時に、ＩＲ／ＲＦシステムが携帯装置へのデータの伝送を開始する。このデータの伝送により、キャプショニング、言語翻訳、プレビュー、ゲーム、装置の制御及びこれらと同様な分野の何れか又はこれらの任意の組合せに対し、携帯装置とプレゼンテーションとの同期を行う。携帯装置は、携帯電話や、携帯情報端末（ＰＤＡ）や、携帯電話及びＰＤＡの組合せや、特にこの分野に対するカスタムデザインデバイス（注文設計装置）や、双方向通信装置のような現存技術に基づいたものとしうる。このシステムは、難聴のための既存のオーディオストリーミング、盲目に対する叙述又は言語翻訳、或いは、これらの任意の組合せと組み合わせることができる。例えば、本発明は補聴援助システムに対する赤外線ストリーミングを提供しうる。
【０００７】
可能なユーザ装置を実現するには、受信機と、ディスプレイコントローラと、マイクロコントローラと、少量のメモリと、電源とを有するカスタムデザインの携帯テキスト表示端末を設ける。同様に、受信機、デジタル‐アナログ変換器、オーディオ増幅器及びスピーカを有するカスタムデザインのオーディオユニットを用いることもできる。
【０００８】
他の装置は、プレゼンテーションに適切な内容を受信しうる会話式又は電動式玩具及びゲームを含む。このような装置は、近くのユニットと双方向通信することもできる。光、オーディオ効果又はアニメーションのある組合せを有する特別効果のユニットを用いることもできる。これらのユニットはユーザが保持するか、又は遠隔制御装置としてプレゼンテーションスペース内に装着しうる。更に他の装置は、デジタルマップ又は道路検索ユニットや、ユーザが近くのユニットにデータを送信したり、これらのユニットからデータを受信したりするメッセージシステムや、又はユーザの識別子、プリフェレンス（選別性）又は位置を近くのユニットに送信するユーザ識別ユニットを有する。
【０００９】
本発明によれば、従来のシステムよりも優れた幾つかの利点が得られる。従来のシステムは、ユーザの言語、性別、年令等のようなユーザのプリフェレンスを知ることができない。従来の無線オーディオシステムは、ユーザが赤外線送信機に対し移動すると、信号損失及び送信音声の劣化を受ける。現存のデジタル無線オーディオシステムは、オーディオデータ流においてテキスト又は制御データを混合する手段を有しない。
【００１０】
本発明は、従来の無線データ通信システムには見られない特徴の組み合わせを提供することにある。例えば、本発明のシステム及び方法によれば、複数のユーザ装置が同時に同一のデータを受信するとともに、プレゼンテーションと同期した状態に保たれるようにする。ユーザ装置は、単一の送信中に、オーディオ、アニメーション制御、テキスト等のような種々のデータを受信することができる。ユーザ装置は更に、プレゼンテーションとの相互通信、プレゼンターとの相互通信又はユーザ装置との相互通信を行うことができる。
【００１１】
好適実施例の詳細な説明
添付図面に示す本発明の代表的な実施例につき詳細に説明する。他の実施例を用いることができ、本発明の範囲を逸脱することなく、構造的及び機能的な変更を加えうることを理解すべきである。
【００１２】
このシステムの好適実施例におけるハードウエアの必要条件を図１及び２に示す。タイムコードリーダ１０、本例では、光学的なタイムコードリーダは、映写機、ショーコントロールコンピュータ又はその他のメディアソースのようなショーデバイス１２からのタイムコードを読み取ることができる。メディアソースは、アナログ及びデジタルの双方又はいずれか一方の内容を含むことができ、オーディオ、ビデオ及びその他の情報（例えば、触覚検出のためのフォースフィードバックパラメータ）とすることができる。中央処理装置（ＣＰＵ）１４はタイムコードリーダ１０からタイムコード信号を受けて、映写機と、スクリーン（映写幕）１５としうるプレゼンテーションとの双方又はいずれか一方に対し内容（コンテント）を同期させる。内容の例は、テキストのキャプショニング、言語翻訳、ゲーム及びその他の関連の分野である。中央処理装置１４は、内容にアクセスするとともにこれを解釈する機能を有する。内容は、中央処理装置１４の内部メモリ内に存在させるか、除去可能なメモリ媒体として存在させることができる。
【００１３】
ＣＰＵ１４は赤外線（ＩＲ）放出器１６に同期データを供給し、これら赤外線放出器はＩＲメッセージ又は制御データを携帯表示装置１８に供給できる。携帯表示装置１８は室内又は室外のいずれかで動作させることができる。或いはまた、同期データを無線周波（ＲＦ）信号を介して携帯表示装置に供給するのに、認可された又は認可されていないいずれか一方又は双方の低出力の無線周波システムを用いることもできる。図２はＲＦ動作可能な携帯表示装置１８と双方向通信するＲＦ受信機２４及びＲＦ送信機２２を示しており、これにより前述したＩＲシステムと同じ結果を達成する。
【００１４】
携帯表示装置１８は、与えるべきすべてのデータを記憶するのに充分なメモリを有している。必要とするすべてのデータは、開始信号を受信した後の予め決定した時間において表示のための１セッションで携帯表示装置１８に送信することができ、又はこれらデータは複数のセッションにおいて実時間で送信することができる。記憶されたデータはその全体を表示させるか、又はその一部分を表示させることができる。携帯表示装置１８は、赤外線メッセージを受信又は送信しうる、或いはその双方を行いうる赤外線ポートを有している。携帯表示装置１８から送信されるメッセージは１つ以上のＩＲ検出器１９により読み取られる。他の実施例では、携帯表示装置１８が、ＲＦメッセージを受信及び送信しうるＲＦ受信機及び送信機の双方又はいずれか一方のポートをも有するようにしうる。携帯表示装置１８はＩＲ又はＲＦ信号を受信し、この信号を、記憶しうる又はプレゼンテーションと同期して表示しうる、或いはその双方を行いうる情報に変換する。携帯表示装置１８は、補聴援助又は音声言語翻訳、或いはその双方に対するようなオーディオを、又はプレゼンテーションに対し特有のプログラム素材を受信して再生する機能をも有しうる。
【００１５】
上述したシステムは、ショー／プレゼンテーション開始信号又は終了信号、或いはその双方を認識することもできる。この場合、このシステムは、ランダムな又は同期した、或いはその双方の情報を、装置を所持している顧客に送信しうる。これにより、顧客が、ショー／プレゼンテーションの開始を待っている間、又はショー／プレゼンテーションが終了した後に装置と双方向通信しうるようにする。
【００１６】
本発明の１つの可能な適用を図３に示す。この適用においては、タイムコード情報がＣＰＵ１４により読み取られ、次にこのＣＰＵ１４がオンボード内容をアクセスし且つ同期データを赤外線放出器１６に供給し、次にこの赤外線放出器がＩＲメッセージを放出しうるようになる。ＩＲメッセージは携帯表示装置１８により受信され、この携帯表示装置１８がＩＲメッセージを表示可能なデータに変換する。この場合、ＩＲ受信機１９は、データを記憶するか又は直ちに表示する、或いはその双方を行いうるポケットＰＣ（例えば、Compaq社のｉＰＡＱ）又はＰＤＡ（例えば、Palm社型の装置），或いはその双方のような既存の装置に変更を施した部分である。ＩＲ受信機１９は、赤外線放出器からＩＲ信号を受け取り、それをＰＤＡ及びポケットＰＣの双方又はいずれか一方の直列ポート２０に対する電気信号に変換する。端末ソフトウェアのプログラムがこの電気信号を、表示スクリーン２６上のテキストとして表示されるデータに変換する。
【００１７】
本発明は、映画館又は生の劇場等のシアターにおけるテキストのキャプショニング及び言語翻訳のような用途に適用したり、双方向通信を行いうる家庭製品に適用したり、公共的なプレゼンテーションに用いられる装置又は製品への制御信号に対し無線結合を行うのに適用したりしうる。
【００１８】
本発明の他の適用例を図４に示す。本例では、ＲＦ送信機３０とＩＲ放出器３１との組み合わせがデータを携帯装置３３に供給する。携帯装置はＲＦ及びＩＲの双方の受信機を有する。ＲＦデータ流には、暗号化されたキャプションテキストと、デジタルオーディオと、１つのシアター又は複数の会場に対する制御データとが含まれている。各シアター又は会場は、携帯装置による再生をユーザ位置又はシアタープレゼンテーションに同期するための少量のデータを送る１つ以上のＩＲ放出器を有している。各シアターの入口の外に装着されたＩＲ放出器は、携帯装置が当該シアターを識別するのに用いている識別コードを送ることができる。この場合、携帯装置はＲＦデータ流から当該シアターの内容に関するデータを抽出し、この内容を携帯装置のメモリ内にローディングする。この内容には、シアター名、ショー時間、ショーの概要、次回のショーに関するテキスト及びオーディオ情報を含めることができる。ユーザがシアターに入ると、携帯装置が現在のショーに関するＩＲ同期コードを受信し、この携帯装置がキャプションテキスト、又はプレイオーディオ、又はショー中のその他の同期装置機能を表示する。ＩＲ同期コードは、以下に説明するようにショーメディアから取り出される。
【００１９】
図５は、高速送信機により送られるデータパケット流の基本構造の代表的な実施例を示す。
【００２０】
この図５は、３つのシアターに関するシアターショー内容の可能なブロードキャストパケット流を、シアターショー日程や現在の日付及び時間と一緒に示している。
【００２１】
ブロードキャストパケット流は、ユーザの携帯装置が受ける少量の内容を有する少数のデータ群（パケット）を含み、必要に応じユーザの携帯装置のローカルメモリ内にローディングされる。各ユーザの携帯装置の論理状態が、特定のユーザの携帯装置内にどのパケットがローディングされているかを決定する。例えば、シアターＡ内にあるユーザの携帯装置はこのシアターＡに関する内容を受信して記憶するが、シアターＢ及びＣに関する内容は無視する。ユーザの携帯装置は全て現在時刻のパケットを受け、時間データを用いてユーザの携帯装置の時計をリセットする。シアターＡ、Ｂ又はＣの前にあるユーザの携帯装置の何れもシアターの日程データを受信して記憶する。図５の例示的なパケットは、１秒毎の区分に分けた内容を示している。従って、シアターＡにおけるキャプショニング中の携帯装置は、ショーの第１秒に対するキャプションテキストを受け、第２秒に対するキャプションテキストを受け、以下同様である。各秒の内容は、ショー中のアクセスの為に携帯装置のメモリ内にローディングされる。
【００２２】
各々が、キャプションテキスト、オーディオ内容、ビデオ内容、図表、画像、時間、日程、メニュー、地図情報、ゲーム内容、調査質問、宣伝、警告、警報等のような種々の異なるデータを含んでいる多数の個別的なパケットの種類が可能である。
【００２３】
各データパケット（例えば、図５のキャプションテキスト（Caption Text）、オーディオ内容（Audio ）、現在時刻（Current Time）のパケットを参照されたい）は常に、新たなデータパケットの開始を表わす独自のヘッダ（Header）値で開始する。
【００２４】
データパケットは、パケットにおける後続データ量を表わすのに用いられるカウント（Count ）値をも含んでいる。このカウント値は、パケットの正当性を確認するとともにチェックサム（検査合計）を計算するのに用いられる。
【００２５】
暗号化（Encryption）データは、キー及び認証情報を表わす。この暗号化データ及びチェックサムは、ユーザの携帯装置により、パケット中の後続のデータが当該携帯装置に対するものであるということ、及びデータが改悪されていなかったことを確認しうるようにする。対応のキー及び認証情報はユーザの携帯装置内にローディングされている。
【００２６】
メッセージタイプ（Message Type）値は、パケット中の内容データを規定する。このメッセージタイプ値に基づいて、ユーザの携帯装置は、パケットデータを如何に復号化するか、データをどこに記憶させるか、データをいかにしていつ用いるかを決定する。例えば、警告テキストは直ちに表示でき、ショーキャプションテキストは、ＩＲ同期コードがこのショーキャプションテキストの表示をトリガするまで携帯装置のメモリ内に一時的に蓄積しておくことができる。メニュー又は日程情報は、ユーザがこれを要求するまで携帯装置のメモリ内に一時的に蓄積しておくことができる。
【００２７】
アドレス（Address ）値は受信装置に対する識別子を表わす。このアドレスは、パケットが１つのみのユーザ装置に対するものとなるように、独自のアドレスとしうる。或いは、このアドレスが、全てのキャプショニング装置又は全てのゲーム装置のような一塊のユーザ装置を特定しうるようにする。或いは、このアドレスが、パケットを、全ての装置に送信される一般的なブロードキャストとして表わすようにすることができる。
【００２８】
随意的な開始時刻（Start Time）値は、パケットの連続番号として作用するが、パケット内容を用いる時を決定するために、受信ユーザ装置によって用いられるようにもすることができる。パケットが受信されると、ユーザ装置は、そのメモリ内に内容を開始時刻に基づく順序で一時的に蓄積する。ユーザ装置が同期コードを受信すると、このユーザ装置はシーケンシャル（逐次）メモリから内容を引き出すか、適切な開始時刻を有する内容に関してメモリを検索する。フォーマットコードを伴うキャプションテキストデータ（Text with Formatting Codes）や、デジタルオーディオ（Digitized Audio ）内容や、現在時刻及びフレーム（Frame ）情報のような追加の情報がデータパケット流に含まれている。
【００２９】
パケットがその位置に完全に到達したことを確認するために全ての先行データの組み合わせを用いるチェックサム（Checksum）情報がある。
【００３０】
図６は、本発明による携帯ユーザ装置の代表的な実施例を示している。携帯ユーザ装置は全て、ＩＲ受信機５０、ＲＦ受信機６０、ＩＲ送信機５１、ＲＦ送信機６１、プロセッサ５２、メモリ５４、電源５６の共通素子を有している。これらの携帯ユーザ装置の他の素子は、意図する適応分野に応じて変わるものである。この代表的な実施例では、携帯ユーザ装置は、テキスト及び図表の双方又はいずれか一方を表示するディスプレイ５３と、音声又は楽音の形態にしうる音を再生するオーディオ増幅器５７との双方を有する。メモリ５４は、データを携帯ユーザ装置に記憶する個所である。ＩＲ受信機５０は無線送信機からコードを受信し、プロセッサ５２がこのコードを解析する。プロセッサ５２は、このコードを解明してそれを如何に処理するかを決定する。このコードが当該携帯ユーザ装置に対するものである場合には、この携帯ユーザ装置がこのコードに対応する内容に関してそのメモリ５４を検索する。これにより、この内容がディスプレイ５３に表示されるか、又はオーディオ増幅器５７を介して音を再生させるか、又はこれらの双方が行われる。図５に示す携帯ユーザ装置には、押しボタンのようなユーザ入力手段５５も示されており、これは双方向通信のために用いることができる。ＩＲトランシーバシステムは、位置同期コードを携帯装置に正確に向けるのに用いることができ、一方、高速ＲＦトランシーバシステムは内容を携帯装置に伝えるのに用いることができる。
【００３１】
図７は、受信データパケットをユーザ装置が如何に処理するかを示す流れ図である。ユーザ装置の電源が入れられると、このユーザ装置はＩＲ及びＲＦ受信機の双方からデータパケットを受けることができる。ユーザ装置は、押しボタン、タッチスクリーン、音声入力手段、補助装置等から入れることができるユーザ入力をも監視する。ユーザ装置は又、その時計を周期的に読み取り、現在時刻でトリガするために設定された予めローディングされた事象に関してその事象データベースメモリを検索する。
【００３２】
どちらの受信機も到来パケットを認識しうる。タイミングエラーや、改悪されたデータを含み、認証等を受けることができない如何なるパケットも無視される。正しいビットタイミングや、正しいヘッダを有し、認証することができ、暗号解読することができ、正しいチェックサムを有するパケットは有効なものとして表わされる。
【００３３】
有効なパケットはユーザ装置のコンフィグレーション（設定）と比較される為、適切なパケットのみが用いられる。例えば、キャプションテキストを表示するがオーディオ機能を有しないユーザ装置は、テキストのみに対するように設定しうる。このユーザ装置はオーディオ内容を含むパケットを無視する。
【００３４】
パケットメッセージタイプは、ユーザ装置がパケットデータを如何に用いるかを決定する。パケットには、後の使用のためにユーザ装置の内容データベースメモリ内に一時的に蓄積されるキャプションテキスト、オーディオ又はビデオのような内容を含めることができる。緊急テキスト警報メッセージのような他のデータはユーザ装置のディスプレイに直ちに送ることができる。位置及び時間同期コードのようなデータによれば、ユーザ装置がその内容データベースメモリを検索し、内容を抽出し、この内容を提供するようにすることができる。現在時刻データによれば、ユーザ装置がその内部の時計をリセットするようにすることができる。ユーザ装置の内容データベースメモリ内には事象時間データを入れて、内部の時計が事象時間に一致する際にこの事象時間データが作用するようにする。特別効果のデータにより、ユーザ装置が例えば、ブザー音やベル音を発したり、振動したりするようにしうる。
【００３５】
ユーザ装置は、ある個数の有効なユーザ入力手段を有するようにしうる。これらの入力手段は、押しボタン、タッチスクリーンソフトボタン、タッチスクリーンメニュー、音声入力手段、息吹きで動作するパフスイッチ等の形態にすることができる。ユーザは、映画の種類、年令、教育レベル等に関心点のプリフェレンスを設定することができる。ユーザ装置は、これらの手動的に入力したプリフェレンスを、学習したプリフェレンスと一緒に用いて内容の提供を変えることができる。例えば、子供の装置は、少数の英語の語彙を用いるキャプションを表示するように設定しうる。子供が博物館中でユーザ装置を持って動き回ると、このユーザ装置はある種類の表示に対する子供のプリフェレンスを“学習”、又は推論することもできる。
【００３６】
ユーザ装置は、ユーザの移動方向をも学習でき、従って、今後の目的地を予測又は示唆することができる。例えば、北に向って中間点まで歩いた後、ユーザ装置はユーザに中間点に到達し、東又は西に向う必要があることを知らせるようにすることができる。更に、この学習した方向が、学習した及び手動的に入力したユーザのプリフェレンスと相俟って、中間点に到達してから東に向う提示のプリフェレンスをユーザ装置が推論しうるようにする。
【００３７】
携帯ユーザ装置は、この装置の現在位置、位置で経過する時間、訪れた位置への経路過程（すなわち、地理的な歩行過程）及び位置間で経過する時間（歩行速度）に基づくこの装置の使用状況からユーザのプリフェレンスを自動的に推論することができる。
【００３８】
ユーザの入力を装置のハードウエア機能に割り当てることもできる。例えば、入力押しボタンにより、ＩＲ送信機がコード信号を隣接装置に送信するようにしうる。このようなコード信号により、当該ユーザを他のユーザと識別するか、或いは当該ユーザを自動化装置や回路網等と識別することができる。あるコード信号によれば、例えば、ドアを開いたり、或いはゲームシステムと相互通信したり等を行うことができる。
【００３９】
ユーザ装置は、データパケットを受信することなく、内部の論理回路及びその内部の時計に基づいた内容を提供することができる。例えば、テキストキャプションが予め決定した日時に現れるようにして、ユーザに会場のショーの開催時間や終了時間を思い出させたり、或いは必要な投薬を思い出させたり等を行うことができる。更に、このような時間の事象は、学習した及び手動的に入力したユーザのプリフェレンスにより論理的に制約させることができる。例えば、レストランの閉店時間は表示することができない。その理由は、ユーザがレストランに行かなくなってしまう為である。
【００４０】
上述した本発明の実施例は本発明の原理を表わしているにすぎないことに注意すべきである。本発明の範囲内の他の変形例も採用しうるものである。従って、本発明は上述した実施例に限定されるものではない。
【図面の簡単な説明】
【００４１】
【図１】図１は、ＩＲ信号を用いる本発明のシステムを示す線図である。
【図２】図２は、ＲＦ信号を用いる本発明のシステムを示す線図である。
【図３】図３は、ＩＲ信号を受信する携帯表示装置を示す線図である。
【図４】図４は、無線周波（ＲＦ）信号を用いる本発明の実施例を示す線図である。
【図５】図５は、高速送信機により伝達されるデータパケット流の代表例を示す説明図である。
【図６】図６は、本発明による携帯装置の代表例を示すブロック線図である。
【図７ａ】図７ａは、受信されたデータパケットを本発明による携帯装置により如何に処理するかを示す流れ図の一部である。
【図７ｂ】図７ｂは、流れ図の他の部分である。
【図７ｃ】図７ｃは、流れ図の更に他の部分である。
【図１】
2006507723.tif 000003
【図２】
2006507723.tif 000004
【図３】
2006507723.tif 000005
【図４】
2006507723.tif 000006
【図５】
2006507723.tif 000007
【図６】
2006507723.tif 000008
【図７ａ】
2006507723.tif 000009
【図７ｂ】
2006507723.tif 000010
【図７ｃ】
2006507723.tif 000011
【手続補正書】
【提出日】平成17年6月23日(2005.6.23)
【手続補正１】
【補正対象書類名】図面
【補正対象項目名】図３
【補正方法】変更
【補正の内容】
【図３】
2006507723.tif 000012
【手続補正２】
【補正対象書類名】図面
【補正対象項目名】図６
【補正方法】変更
【補正の内容】
【図６】
2006507723.tif 000013
【国際調査報告】
2006507723.tif 000014
2006507723.tif 000015
2006507723.tif 000016
2006507723.tif 000017